(57)【特許請求の範囲】
【請求項１】
部屋の壁と天井とのコーナーに取り付ける物干し掛け具として、壁と天井との二面が交わるコーナー中心部にフックを設け、そのコーナー中心部に正対する基体の中央にフックを設け、これらの２つのフックにターンバックルを接続し、このターンバックルを回転収縮させることにより壁と天井の二面にそれぞれ圧着固定できる壁面固定部及び天井面固定部を設け、天井面固定部の先端には鉛直下方へ延伸する引っ掛け部が備えられて成る物干し掛け具で、取り付け時や引っ掛け部に物を吊るした時に生じる荷重に耐えられるように、荷重がかかる基体と壁面固定部及び天井面固定部との接続箇所並びに天井面固定部と引っ掛け部との接続箇所に補強部を備えて構成されたことを特徴とする物干し掛け具。
【請求項２】
請求項１に記載の物干し掛け具において、六角形の穴を貫通させたハニカム構造を側面に形成された補強部を備えて構成されたことを特徴とする物干し掛け具。
【発明の詳細な説明】
【技術分野】
【発明の詳細な説明】
【技術分野】
【０００１】  本発明は、部屋の天井と壁とのコーナーに取り付ける物干し掛け具に関するものである。
【背景技術】
【０００２】  従来より、部屋のコーナーに取り付ける物干し掛け具として、特許第６３４７５２４号発明のように、二面の壁面が交わるコーナー壁面中心部にフックを設け、さらに、二面の壁面が交わるコーナー中心部に正対するラックの最近面の中央にフックを設け、これらの２つのフックにターンバックルを接続し、このターンバックルを回転収縮させることにより、二面のコーナー壁面にそれぞれ圧着固定できるように形成された緩衝材を取り付けた圧着固定部を二カ所設けたコーナーラックは存在する。
【先行技術文献】
【特許文献】
【０００３】
【特許文献１】特許第６３４７５２４号公報
【発明の概要】
【発明が解決しようとする課題】
【０００４】  上記従来例においては、二面のコーナー壁面にそれぞれ圧着固定できるように形成された緩衝材を取り付けた圧着固定部を二カ所設けたコーナーラックを物干し掛け具として利用する場合があるが、吊り下げる量は少なく、垂直方向への耐荷重は小さくなってしまう。【０００５】また、上記コーナーラックを物干し掛け具として利用すると、大量の洗濯物などつり下げる荷重に耐えられるよう材質は、鉄鋼やステンレス鋼等を用いて堅強に作らなければならず、製品自体の重量が重く、また、デザインの加工が難しく、かつ、大量生産が難しいという問題がある。【０００６】  本発明はこのような従来の構成が有していた問題を解決しようとするものであり、従来通りのつり下げ荷重に耐えられるような構造で、重量を軽くし、デザイン加工をしやすくし、大量生産できるような物干し掛け具をを提供することを目的とする。
【課題を解決するための手段】
【０００７】  上記の問題を解決するために、本発明は、コーナーラックを専用の物干し掛け具として利用するために、天井と壁面の二面に垂直方向にターンバックルにより圧着されて固定させ、物干し掛け具をプラスチックやアルミニウムなどの軽量で安価な材料で作成し、デザインの加工がしやすく、大量生産も可能になるような構成にする。【０００８】    本発明は、物干し掛け具をプラスチックやアルミニウムなどの軽量な材料で作成されるが、強度の点では従来の鉄鋼やステンレス鋼と比べると弱くなってしまう。しかしながら、取り付け時や物を吊るした時に力がかかる本体部分を、従来通りのつり下げ荷重に耐えられるような構造で補強することで、曲がりや破損を防ぐことができる。
【発明の効果】
【０００９】  以上のように本発明によれば、特許第６３４７５２４号で構成される構造に、従来通りのつり下げ荷重に耐えられるような構造で補強する補強部を設け、物干し掛け具がプラスチックやアルミニウムなどの軽量な材料で作成されれば、今まで以上に軽量化され、デザインの加工がしやすく、大量生産が可能になり、より使いやすくなり、安価に生産することができるという効果がある。
【図面の簡単な説明】
【００１０】
【図１】物干し掛け具本体の使用状態を示す全体側面図
【図２】物干し掛け具本体に補強部を設けた状態を示す全体側面図
【図３】物干し掛け具本体に補強部を設けた状態の断面図（Ａ）、（Ｂ）
【図４】物干し掛け具本体に、断面が本体と平行になるように形成された補強部を設けた状態の斜視図（Ｃ）と側面図（Ｄ）とａ−ａ′線拡大断面図（Ｅ）
【図５】物干し掛け具本体に、断面が本体側を底辺とする二等辺三角形に形成された補強部を設けた状態の斜視図（Ｆ）と平面図（Ｇ）と側面図（Ｈ）とａ−ａ′線拡大断面図（Ｉ）
【図６】物干し掛け具本体に、断面が本体側を底辺とする二等辺三角形に形成された補強部を設けた状態の斜視図（Ｊ）と側面図（Ｋ）とａ−ａ′線拡大断面図（Ｌ）
【図７】物干し掛け具本体に設けた補強部の側面に六角形の穴を貫通させたハニカム構造を設けた状態を示す全体側面図（Ｍ）と拡大図（Ｎ）
【図８】物干し掛け具本体に補強部を増やして設けた状態を示す全体側面図
【発明を実施するための最良の形態】
【００１１】  以下、本発明の実施の形態を図１〜図８に基づいて説明する。【００１２】  図１において、物干し掛け具は、基体１と、緩衝材１０を設置した壁面固定部２と、天井面固定部３、引っ掛け部４、フック部５により構成されている。フック部５にターンバックル６の一方が接続されて、壁７と天井８のコーナーに取り付けたフック１２に接続されている。コーナーに接する壁面固定部２と天井面固定部３に緩衝材１０を設置すると壁７と天井８に傷が付くことを防ぐことができる。【００１３】  ターンバックル６を回転させることにより基体１と接続されている壁面固定部２と天井面固定部３が壁７と天井８に圧着されて固定される。固定された物干し掛け具は、引っ掛け部４にロングフック１３などを接続して、物干しざおなどを吊り下げることができる。【００１４】  物干し掛け具はターンバックル６を回転させることにより基体１と接続されている壁面固定部２と天井面固定部３が圧着されて壁７と天井８に固定されるが、本体材料が鉄鋼やステンレス鋼であれば、取り付け時や引っ掛け部３に物を吊るした時でも、曲がりや破損は生じないが、物干し掛け具をプラスチックやアルミニウムなどの軽量な材料で作成すると、曲がったり破損することが起きる可能性がある。【００１５】  そこで、図２にあるように、物干し掛け具の基体１の取り付け時や引っ掛け部３に物を吊るした時に生じる荷重に耐えられるように、荷重がかかる基体１と壁面固定部２及び天井面固定部３との接続箇所並びに天井面固定部３と引っ掛け部４との接続箇所に補強部９を設ける。【００１６】  補強部９は、本体と同じ素材で一体化されて組み込まれており、図４にあるように本体と補強部９の断面は本体と平行に補強されたものである。【００１７】  また、補強部９が、図５、図６にあるように本体と補強部９の断面が、本体側を底辺とする二等辺三角形に形成されたものがある。【００１８】  さらに、図７のように、補強部９の側面に六角形の穴１１を貫通させたハニカム構造にしてさらに強度を増したものもある。【００１９】  図８は、物干し掛け具本体に補強部９を増やして設けた状態を示す全体側面図で、このように形状は限定されることはなく、補強部９と最低二か所の固定部を備えて構成されていればデザインは自由に加工することができる。
【符号の説明】
【００２０】１      基体          ２      壁面固定部      ３      天井面固定部
４      引っ掛け部    ５      フック部        ６      ターンバックル
７      壁            ８      天井            ９      補強部
１０    緩衝材        １１    六角形の穴      １２    フック
１３    引っ掛け用ロングフック
【要約】
【課題】  二面のコーナー壁面にターンバックルを使用し、簡単に圧着固定できるように形成された緩衝材を取り付けた圧着固定部を二カ所設けたコーナーラックを、物干し掛け具として利用する製品があるが、つり下げる荷重に耐えられるよう材質は、鉄鋼やステンレス鋼等を用いて堅強に作られているため、製品自体の重量が重く、また、デザインの加工が難しく、かつ、大量生産が難しいという問題がある
【解決手段】  物干し掛け具の取り付け時や引っ掛け部に物を吊るした時に生じる荷重に耐えられるように、荷重がかかる基体と壁面固定部及び天井面固定部との接続箇所並びに天井面固定部と引っ掛け部との接続箇所に従来通りのつり下げ荷重に耐えられるような構造で補強する補強部を設けることで、曲がりや破損を防ぐことができ、今まで以上に軽量化され、デザインの加工がしやすく、大量生産が可能になり、より使いやすくなり、安価に生産することができるという効果がある。
【選択図】図２【図１】
0006850392.tif 000002
【図２】
0006850392.tif 000003
【図３】
0006850392.tif 000004
【図４】
0006850392.tif 000005
【図５】
0006850392.tif 000006
【図６】
0006850392.tif 000007
【図７】
0006850392.tif 000008
【図８】
0006850392.tif 000009